(57)【要約】【課題】内容物が吐出ノズルの天壁部上に残存するのを抑制する。【解決手段】内容物の減少に伴い減容変形する内容器４、および内容器が内装されるとともに弾性変形可能な外容器６を備える容器本体２と、容器本体の口部３に装着され、天壁部１１に内容物を吐出する吐出孔１２が形成された有頂筒状の吐出ノズル１０と、吐出ノズル内に配設され、吐出孔と内容器内とを連通する連通孔２１が形成された中栓２０と、中栓における連通孔の開口周縁部上に、上方に向けて離反自在に配設され、連通孔を開放自在に閉塞する弁部３１を有する弁体３０と、を備え、吐出ノズルの天壁部には、上方に向けて突出する集液部２５が形成され、集液部は、上端部が他よりも上方に位置する集液頂部２５ａを有する。【選択図】図１
2019011067.tif 000002
【特許請求の範囲】
【請求項１】
内容物の減少に伴い減容変形する内容器、および前記内容器が内装されるとともに弾性変形可能な外容器を備える容器本体と、
前記容器本体の口部に装着され、天壁部に内容物を吐出する吐出孔が形成された有頂筒状の吐出ノズルと、
前記吐出ノズル内に配設され、前記吐出孔と前記内容器内とを連通する連通孔が形成された中栓と、
前記中栓における前記連通孔の開口周縁部上に、上方に向けて離反自在に配設され、前記連通孔を開放自在に閉塞する弁部を有する弁体と、を備え、
前記吐出ノズルの天壁部には、上方に向けて突出する集液部が形成され、
前記集液部は、上端部が他よりも上方に位置する集液頂部を有することを特徴とする吐出容器。
【請求項２】
前記集液部の一部は、前記天壁部における前記吐出孔の開口周縁部に配置され、
前記集液頂部は、前記天壁部において前記吐出孔の開口周縁部から離れた部分に配置され、
前記集液部は、前記一部から前記集液頂部に向かうに従い漸次、上方に向けて延びていることを特徴とする請求項１に記載の吐出容器。
【請求項３】
前記集液部は、前記天壁部において、この天壁部の上面視で前記吐出孔の中心を通る第１基準線より一方側に位置する部分の全域にわたって形成されるとともに、前記第１基準線から前記第１基準線に直交する方向に離れるに従い漸次、上方に向けて延びていることを特徴とする請求項２に記載の吐出容器。
【請求項４】
前記天壁部は上面視円形状を呈し、前記集液頂部は、前記天壁部の外周縁部に形成され、
前記吐出孔は、前記天壁部の中央部に形成され、前記集液頂部は、前記天壁部の上面視において、前記吐出孔を通り前記第１基準線に直交する第２基準線上に配置され、
前記天壁部は、前記集液頂部の位置する周方向に沿う部分から周方向に離れるに従い漸次、下方に向けて延びていることを特徴とする請求項３に記載の吐出容器。
【発明の詳細な説明】
【技術分野】
【０００１】
本発明は、吐出容器に関する。
【背景技術】
【０００２】
従来から、内容物の減少に伴い減容変形する内容器、および内容器が内装されるとともに弾性変形可能な外容器を備える容器本体と、容器本体の口部に装着され、天壁部に内容物を吐出する吐出孔が形成された有頂筒状の吐出ノズルと、吐出ノズル内に配設され、吐出孔と内容器内とを連通する連通孔が形成された中栓と、中栓における連通孔の開口周縁部上に、上方に向けて離反自在に配設され、連通孔を開放自在に閉塞する弁部を有する弁体と、を備える吐出容器が知られている。この種の吐出容器として、例えば下記特許文献１に示されるような、天壁部の上面における吐出孔の開口周縁部に窪み部が形成された構成が知られている。
この吐出容器では、外容器を径方向の内側に向けて弾性変形させると、弁体の弁部が、中栓における連通孔の開口周縁部から上方に離反することで、内容器内と吐出孔とが連通孔を通して連通し、内容物が吐出孔から吐出される。その後、弁体の弁部が、中栓における連通孔の開口周縁部上に当接するとともに、外容器が復元変形すると、外容器に形成された外気導入孔を通して、外容器と内容器との間に外気が導入され、内容器が減容変形したままの状態に保たれる。これにより、吐出孔から内容器内に向けて外気が導入されることが抑えられる。
【先行技術文献】
【特許文献】
【０００３】
【特許文献１】特開２０１６−２２２３０９号公報
【発明の概要】
【発明が解決しようとする課題】
【０００４】
しかしながら、前記従来の吐出容器では、吐出孔から内容器内に向けて外気が導入されることがないので、天壁部上に残存した内容物が吐出孔から内容器内に向けて吸い込まれることがない上に、天壁部の上面における吐出孔の開口周縁部に窪み部が形成されているため、内容物が天壁部上に残存しやすいという問題があった。
【０００５】
本発明は、このような事情に鑑みてなされたものであって、その目的は、内容物が吐出ノズルの天壁部上に残存するのを抑制することができる吐出容器を提供することである。
【課題を解決するための手段】
【０００６】
本発明に係る吐出容器は、内容物の減少に伴い減容変形する内容器、および前記内容器が内装されるとともに弾性変形可能な外容器を備える容器本体と、前記容器本体の口部に装着され、天壁部に内容物を吐出する吐出孔が形成された有頂筒状の吐出ノズルと、前記吐出ノズル内に配設され、前記吐出孔と前記内容器内とを連通する連通孔が形成された中栓と、前記中栓における前記連通孔の開口周縁部上に、上方に向けて離反自在に配設され、前記連通孔を開放自在に閉塞する弁部を有する弁体と、を備え、前記吐出ノズルの天壁部には、上方に向けて突出する集液部が形成され、前記集液部は、上端部が他よりも上方に位置する集液頂部を有することを特徴とする。
【０００７】
本発明によれば、吐出ノズルの天壁部に集液部が形成されているので、吐出孔から吐出されて天壁部の上面に至った内容物が、集液部を伝って集液頂部に集められ、滴となって落下する。これにより、例えば、天壁部の上面における吐出孔の開口周縁部に窪み部が形成された構成と比べて、滴下後に天壁部上に残存する内容物を低減することができる。
なお、天壁部に前記窪み部が形成され、かつ容器本体の口部に着脱自在に装着されて吐出孔を開放可能に閉塞するキャップを備える構成において、前記窪み部に内容物が溜まると、キャップを容器本体の口部に装着し、キャップの天壁に形成された突部を前記窪み部に進入させたときに、前記窪み部内の内容物が溢れる不具合が生ずるが、本発明では、このような不具合が生ずることがない。
【０００８】
ここで、前記集液部の一部は、前記天壁部における前記吐出孔の開口周縁部に配置され、前記集液頂部は、前記天壁部において前記吐出孔の開口周縁部から離れた部分に配置され、前記集液部は、前記一部から前記集液頂部に向かうに従い漸次、上方に向けて延びてもよい。
【０００９】
この場合、集液部の一部が、天壁部における吐出孔の開口周縁部に位置しているので、吐出孔を通して天壁部の上面に至った内容物が、即座に集液部の前記一部に到達する。そして、集液部が、前記一部から集液頂部に向かうに従い漸次、上方に向けて延びているので、集液部の前記一部に到達した内容物は、円滑に集液頂部に導かれる。
以上より、吐出孔から吐出された内容物が、天壁部上に拡散して付着するのを抑制することが可能になり、天壁部上に残存する内容物を確実に低減することができる。
【００１０】
また、前記集液部は、前記天壁部において、この天壁部の上面視で前記吐出孔の中心を通る第１基準線より一方側に位置する部分の全域にわたって形成されるとともに、前記第１基準線から前記第１基準線に直交する方向に離れるに従い漸次、上方に向けて延びてもよい。
【００１１】
この場合、集液部が、天壁部において、前記第１基準線より一方側に位置する部分の全域にわたって形成されるとともに、前記第１基準線から前記第１基準線に直交する方向に離れるに従い漸次、上方に向けて延びているので、集液頂部の上端部が、前記第１基準線の延びる方向の幅を有することとなり、この部分が鋭利に尖るのを抑えることが可能になり、使用者がこの吐出容器の使用時に不安感を抱くのを防ぐことができる。
【００１２】
また、前記天壁部は上面視円形状を呈し、前記集液頂部は、前記天壁部の外周縁部に形成され、前記吐出孔は、前記天壁部の中央部に形成され、前記集液頂部は、前記天壁部の上面視において、前記吐出孔を通り前記第１基準線に直交する第２基準線上に配置され、前記天壁部は、前記集液頂部の位置する周方向に沿う部分から周方向に離れるに従い漸次、下方に向けて延びてもよい。
【００１３】
この場合、吐出孔が天壁部の中央部に形成され、集液頂部が前記第２基準線上に配置されているので、吐出孔から吐出されて集液部の前記一部に至った内容物が、天壁部上を拡散せずに集液頂部に向けて直進しやすくなり、内容物を円滑に滴下することができるとともに、天壁部上に残存する内容物をより一層確実に低減することができる。
【発明の効果】
【００１４】
本発明に係る吐出容器によれば、内容物が吐出ノズルの天壁部上に残存するのを抑制することができる。
【図面の簡単な説明】
【００１５】
【図１】本発明の一実施形態に係る吐出容器の縦断面図である。
【図２】図１に示す吐出ノズルの上面図である。
【発明を実施するための形態】
【００１６】
以下、本発明の一実施形態を図面に基づいて説明する。
図１に示すように、吐出容器１は、内容物の減少に伴い減容変形する内容器４、および内容器４が内装されるとともに弾性変形可能な外容器６を備える容器本体２と、容器本体２の口部３に装着され、天壁部１１に内容物を吐出する吐出孔１２が形成された有頂筒状の吐出ノズル１０と、吐出ノズル１０内に配設され、吐出孔１２と内容器４内とを連通する連通孔２１が形成された中栓２０と、連通孔２１を開放自在に閉塞する弁体３０と、容器本体２の口部３に着脱自在に装着されて吐出孔１２を開放可能に閉塞するキャップ８と、を備える。
【００１７】
容器本体２は有底筒状に形成されるとともに、キャップ８は有頂筒状に形成され、これら容器本体２およびキャップ８が共通軸と同軸に配置されている。以下、この共通軸を中心軸Ｏといい、中心軸Ｏに沿う方向を上下方向という。また、上下方向に沿う容器本体２の底部側を下方、上下方向に沿う容器本体２の口部３側を上方という。また、上下方向から見た平面視において、中心軸Ｏに直交する方向を径方向といい、中心軸Ｏ回りに周回する方向を周方向という。
【００１８】
容器本体２は、内容器４の外表面と外容器６の内表面とが積層されてなる、いわゆるデラミ容器である。容器本体２は、口部３と、図示しない肩部、胴部および底部と、を備えるとともに、これらが上側から下側に向けてこの順に連設された有底筒状に形成されている。外容器６のうち少なくとも前記胴部に位置する部分は、容器本体２の内側に向けて弾性変形可能（スクイズ変形可能）とされている。内容器４は、外容器６のスクイズ変形に伴って減容変形する。
【００１９】
口部３は、内容器４の口部５と外容器６の口部７とが積層された構成である。内容器４の口部５の上端部には、径方向の外側に突出する環状の折り返し部が形成され、この折り返し部が外容器６の口部７の上端開口縁上に配置されている。
ここで、外容器６には、外容器６を貫通する不図示の外気導入孔が形成されている。外気導入孔は、外容器６の内表面と、外容器６から剥離して減容変形する内容器４の外表面と、の間に外気を導入する。外気導入孔は外容器６の胴部に形成されており、内容物を吐出する際に、指で外気導入孔を閉塞した状態で、外容器６の胴部をスクイズ変形させる。
なお、外気導入孔は、外容器６の口部７、肩部、若しくは底部等に設けることができ、形成位置は問わない。また、外気導入孔を開閉する逆止弁を配設してもよい。
【００２０】
吐出ノズル１０は、天壁部１１と、天壁部１１の外周縁から下方に向けて延びる周壁部１３と、を備え、それぞれが中心軸Ｏと同軸に配置されている。
周壁部１３は、容器本体２の口部３内に液密に嵌合されたシール筒部１４と、シール筒部１４の上端縁から径方向の外側に向けて突出するとともに周方向に延びる環状の鍔部１５と、シール筒部１４の上端縁から上方に向けて延び、天壁部１１の外周縁部に接続する接続筒部１６と、を備える。
【００２１】
シール筒部１４の内周面は、下部が上部よりも僅かに拡径するように形成されている。シール筒部１４の内周面における下端部には、径方向の内側に向けて突出する第１係合突起が形成されている。
鍔部１５は、口部３の上端開口縁上に配置されている。
接続筒部１６は、シール筒部１４の上端縁から上方に向かうに従い漸次、縮径した下部１６ａと、下部１６ａの上端縁から上方に向けて真直ぐ延び、天壁部１１の外周縁に接続した上部１６ｃと、を備える。下部１６ａの内径は、シール筒部１４の上部の内径と同じになっている。上部１６ｃの内周面は、下部１６ａの内周面より径方向の内側に位置し、上下方向に真直ぐ延びている。
【００２２】
天壁部１１における径方向の中央部に、天壁部１１を上下方向に貫通する吐出孔１２が形成されている。吐出孔１２は、中心軸Ｏと同軸に配置されている。吐出孔１２の上部の内径は、上下方向の全域にわたって同等とされ、吐出孔１２の下部の内径は、上方から下方に向かうに従い漸次、小さくなっている。
天壁部１１の下面には、下方に向けて突出する膨出部１７が形成されている。膨出部１７は、中心軸Ｏと同軸に位置する逆円錐台状に形成されている。天壁部１１の下面には、突リブ１８が周方向に間隔をあけて複数形成されている。突リブ１８は、逆円錐台状をなす膨出部１７の周面から、径方向の外側に向かって突出している。膨出部１７の下端面に吐出孔１２が開口している。
【００２３】
中栓２０は、中心軸Ｏと同軸に配置された筒状に形成されている。中栓２０は、吐出ノズル１０における接続筒部１６の上部１６ｃ内に嵌合された上筒部２２と、上筒部２２の下方に配置されるとともに吐出ノズル１０のシール筒部１４内に嵌合され、上筒部２２より大径に形成された下筒部２３と、を備える。
上筒部２２の上端開口縁は、吐出ノズル１０の天壁部１１の下面のうち膨出部１７よりも径方向の外側に位置する部分に当接している。上筒部２２の上端部の内周面には、径方向の内側に向けて突出する環状の弁座２４が形成されている。弁座２４の上面は、中栓２０の上端開口縁よりも下方に位置している。弁座２４の内側が、上述の連通孔２１となっている。上筒部２２の内周面は、弁座２４を挟んだ上下両側において互いに同径で上下方向に真直ぐ延びている。
【００２４】
中栓２０の下筒部２３の内周面は、上下方向に真直ぐ延びている。下筒部２３の下端部における内周面には、径方向の内側に向けて突出する第２係合突起が形成されている。下筒部２３の下端部における外周面には、径方向の外側に向かって突出するとともに周方向に延びる環状の係合環部２３ｂが形成されている。係合環部２３ｂの下端は、吐出ノズル１０のシール筒部１４の第１係合突起の上端に係止されている。
【００２５】
中栓２０の内周面には、上筒部２２と下筒部２３との接続部分から下方に向けて突出する支持板部２６が形成されている。支持板部２６は表裏面が周方向を向く板状に形成されている。支持板部２６のうち下方を向く下端縁の外周部には、上方に向かって窪む窪み部が形成されている。支持板部２６は、中栓２０の内周面に周方向に間隔をあけて複数形成されている。
下筒部２３の上部の内周面には、支持板部２６の下端縁から下方に向けて延びる第１縦リブ２７が形成されている。第１縦リブ２７は、周方向に間隔をあけて複数形成されている。支持板部２６および第１縦リブ２７それぞれの周長は、互いに同じになっている。第１縦リブ２７は、支持板部２６の下端縁の外周部において、窪み部より径方向の外側に位置する部分に接続されている。
【００２６】
弁体３０は、その上方（吐出孔１２側）から下方（内容器４側）への流体の流れを制限する一方、その逆方向の流れは許可する逆止弁となっている。弁体３０は、例えばニトリルゴム、ブチルゴム、シリコンゴム、エラストマー、およびウレタン等の弾性変形可能な軟材質で形成されている。
弁体３０は、中栓２０における弁座２４の上面（連通孔２１の開口周縁部上）に、上方に向けて離反自在に配設され、連通孔２１を開放自在に閉塞する弁部３１と、弁部３１から下方に向けて延びる有頂筒状の本体部３３と、本体部３３の下端部から径方向の外側に向けて突出し、中栓２０内に固定された脚部３２と、を備え、これらが一体に形成されている。
【００２７】
弁部３１は、中心軸Ｏと同軸に配置された円板状の中央部３４と、中央部３４の外周縁から径方向の外側に向かうに従い漸次、上方に向けて延びる円環状の周縁部３５と、を備える。弁部３１の上面は、下方に窪む凹状に形成されている。
中央部３４の上面は、吐出ノズル１０の膨出部１７の下端面に上下方向の隙間をあけて対向している。中央部３４の上面の外径は、膨出部１７の下端面の外径と同等になっている。
【００２８】
周縁部３５は、上方に向けて弾性変形可能とされ、弁座２４の上面に上方に向けて離間可能に着座している。周縁部３５は、上方に向けて弾性変形した状態で弁座２４に着座することで、弾性復元力により下面を弁座２４の上面に密接させている。このとき、弁部３１の上面のうち、周縁部３５が位置する部分は、天壁部１１の突リブ１８に対して下方に離間しているとともに、外周縁部が膨出部１７の下端面よりも上方に位置している。このように、弁部３１の上面は、吐出ノズル１０の天壁部１１に対して下方に離れつつ、弁部３１の上面の内側に、膨出部１７が入り込んだ状態とされている。
【００２９】
本体部３３の頂壁部は、弁部３１の中央部３４と一体に形成されている。本体部３３の頂壁部の外周面は、下方から上方に向かうに従い漸次、径方向の内側に向けて延びている。本体部３３の周壁部における上端部の外周面は、下方から上方に向かうに従い漸次、径方向の内側に向けて延び、頂壁部の外周面と段差なく滑らかに連なっている。本体部３３の周壁部における下端部の内周面は、下端縁から上方に向かうに従い漸次、縮径した突曲面状に形成されている。本体部３３の周壁部の内周面は、下端部を除く全域にわたって上下方向に真直ぐ延びている。
【００３０】
脚部３２は、中栓２０の下筒部２３の上端部内に配置されている。脚部３２の外径は、中栓２０の上筒部２２の内径よりも大きく、かつ中栓２０の下筒部２３の内径よりも小さくなっている。脚部３２の上面における外周部には、上方に向けて突出する突部が形成されており、この突部が、中栓２０における支持板部２６の下端縁の外周部に形成された窪み部に入り込んでいる。これにより、脚部３２の上面が、中栓２０における支持板部２６の下端縁に密接するとともに、脚部３２の径方向の内側に向けた変形が規制されている。
【００３１】
弁体３０は、中栓２０内において弁体３０より下方に位置する部分に嵌合された押さえ筒部材４０により、下方への移動が規制されている。押さえ筒部材４０は有底筒状に形成されている。押さえ筒部材４０の上端開口縁は、弁体３０の本体部３３の下端開口縁に当接している。
【００３２】
押さえ筒部材４０の下端部には、径方向の外側に向かって突出する支持突起４１が周方向に間隔をあけて複数形成されている。支持突起４１の上面は、中栓２０の下端開口縁に当接している。押さえ筒部材４０の周壁部の外周面には、径方向の外側に向かって突出する第３係合突起が形成されている。第３係合突起の下端は、中栓２０の下端部の内周面に形成された第２係合突起の上端に係止されている。これにより、押さえ筒部材４０が脱落を抑制された状態で中栓２０内に嵌合されている。押さえ筒部材４０の外周面には、上下方向に延びる第２縦リブ４２が周方向に間隔をあけて複数形成されている。第２縦リブ４２、第３係合突起、および支持突起４１は同じ周方向位置に配置され、第２縦リブ４２は第３係合突起と支持突起４１とを連結している。
第２縦リブ４２の上端縁と、中栓２０の第１縦リブ２７の下端縁と、の間に、上下方向の隙間が全周にわたって配設されている。
【００３３】
キャップ８は、有頂筒状に形成されている。キャップ８の周壁８ａは、内周面に、外容器６の口部７の外周面に形成された雄ねじ部に螺着する雌ねじ部が形成された大径部８ｃと、大径部８ｃの上端部から上方に向けて延びるとともに、大径部８ｃより内径および外径が小さい小径部８ｄと、を備える。キャップ８の天壁８ｂにおける中央部には、下方に向けて突出する栓突部８ｅが形成されている。栓突部８ｅは、吐出孔１２内に着脱可能に嵌合されている。
【００３４】
そして、本実施形態では、吐出ノズル１０の天壁部１１に、上方に向けて突出する集液部２５が形成されている。集液部２５は、上端部が他よりも上方に位置する集液頂部２５ａを有する。
集液部２５の一部２５ｂは、天壁部１１における吐出孔１２の開口周縁部に配置され、集液頂部２５ａは、天壁部１１において吐出孔１２の開口周縁部から離れた部分に配置されている。集液頂部２５ａは、天壁部１１の外周縁部に配置されている。なお、天壁部１１は上面視円形状を呈する。
集液部２５は、前記一部２５ｂから集液頂部２５ａに向かうに従い漸次、上方に向けて延びている。集液部２５は、前記一部２５ｂから集液頂部２５ａに向かうに従い漸次、上方に向けて直線状に延びている。なお、集液部２５の全体を、天壁部１１において吐出孔１２の開口周縁部から離れた位置に配置してもよい。
【００３５】
集液部２５は、図２に示されるように、天壁部１１において、この天壁部１１の上面視で吐出孔１２の中心を通る第１基準線Ｌ１より一方側に位置する部分の全域にわたって形成されるとともに、第１基準線Ｌ１から第１基準線Ｌ１に直交する直交方向に離れるに従い漸次、上方に向けて延びている。図示の例では、集液部２５の前記一部２５ｂは、集液部２５において、前記直交方向に沿う集液頂部２５ａの反対側の端部における、第１基準線Ｌ１の延びる方向の中央部となっている。集液頂部２５ａおよび前記一部２５ｂは、天壁部１１の上面視において、吐出孔１２を通り第１基準線Ｌ１に直交する第２基準線Ｌ２上に配置されている。
【００３６】
集液頂部２５ａは、上方に向けて突の曲面状に形成されている。天壁部１１の外周縁部は全周にわたって上方に向けて突の曲面状に形成されている。中心軸Ｏに沿う縦断面視において、天壁部１１の外周縁部の曲率半径は、集液頂部２５ａから周方向に離れるに従い漸次、大きくなっている。
天壁部１１において、この天壁部１１の上面視で第１基準線Ｌ１より他方側に位置する部分は、第１基準線Ｌ１から前記直交方向に離れるに従い漸次、下方に向けて延びている。天壁部１１の上面のうち、前記他方側に位置する部分は、集液部２５と段差なく連なっている。
天壁部１１は、集液頂部２５ａの位置する周方向に沿う部分から周方向に離れるに従い漸次、下方に向けて延びている。天壁部１１の上面は、全域にわたって単一の傾斜平面となっている。なお、天壁部１１の上面のうち、前記他方側に位置する部分は、例えば中心軸Ｏに直交する方向に延びる平坦面にする等適宜変更してもよい。
【００３７】
以下、本実施形態の吐出容器１の作用について説明する。
吐出容器１から内容物を吐出させる際には、まず、容器本体２の口部３からキャップ８を取り外して、吐出孔１２を露出させ、その後、吐出容器１を口部３が下方に位置し、かつ容器本体２の底部（不図示）が上方に位置する倒立姿勢または傾斜姿勢とする。この状態で、外気導入孔を指で閉塞し、かつ容器本体２の外容器６をスクイズ変形させると、内容器４が外容器６とともに変形して減容される。この減容変形に伴い内容器４の内圧が正圧となり、この正圧によって弁部３１の周縁部３５が弾性変形し、連通孔２１が開放され、吐出孔１２と内容器４の内部とが連通される。
【００３８】
このように弁部３１が開かれると、内容器４内の内容物が、中栓２０の内周面と、押さえ筒部材４０および脚部３２の各外周面と、の間を通過した後、連通孔２１を通過する。連通孔２１を通過した内容物は、弁部３１の上面と吐出ノズル１０の天壁部１１の下面との間の空間に流れ込み、吐出孔１２から吐出される。この際、吐出孔１２から吐出されて天壁部１１の上面に至った内容物は、集液部２５を伝って集液頂部２５ａに集められ、滴となって落下する。
【００３９】
内容物の吐出後、内容器４の内圧が低下すると、弁部３１の周縁部３５が弁座２４の上面に着座して、吐出孔１２と内容器４の内部との連通が遮断される。このように弁部３１が閉じられることにより、内容器４が密封され、さらに手指による外気導入孔の閉塞、およびスクイズ変形を解除すると、外容器６は復元変形しようとする。このとき、内容器４が密封されているため、外容器６と内容器４との間に負圧が発生する。すると、外容器６の上述した外気導入孔を通して外気が外容器６と内容器４との間に導入される。このように、外容器６と内容器４との間に外気が導入されることにより、内容器４の減容形状が保持される。
以上により吐出容器１を用いた内容物の吐出動作が完了する。
【００４０】
以上詳述したように、本実施形態の吐出容器１では、内容物が、集液頂部２５ａから滴となって落下することから、例えば、吐出ノズル１０の天壁部１１の上面における吐出孔１２の開口周縁部に窪み部が形成された構成と比べて、滴下後に天壁部１１上に残存する内容物を低減することができる。
【００４１】
また、集液部２５の前記一部２５ｂが、天壁部１１における吐出孔１２の開口周縁部に位置しているので、吐出孔１２を通して天壁部１１の上面に至った内容物が、即座に集液部２５の前記一部２５ｂに到達する。そして、集液部２５が、前記一部２５ｂから集液頂部２５ａに向かうに従い漸次、上方に向けて延びているので、集液部２５の前記一部２５ｂに到達した内容物は、円滑に集液頂部２５ａに導かれる。
以上より、吐出孔１２から吐出された内容物が、天壁部１１上に拡散して付着するのを抑制することが可能になり、天壁部１１上に残存する内容物を確実に低減することができる。
【００４２】
また、集液部２５が、天壁部１１において、第１基準線Ｌ１より一方側に位置する部分の全域にわたって形成されるとともに、第１基準線Ｌ１から前記直交方向に離れるに従い漸次、上方に向けて延びているので、集液頂部２５ａの上端部が、第１基準線Ｌ１の延びる方向の幅を有することとなり、この部分が鋭利に尖るのを抑えることが可能になり、使用者がこの吐出容器１の使用時に不安感を抱くのを防ぐことができる。
また、吐出孔１２が天壁部１１の中央部に形成され、集液頂部２５ａが第２基準線Ｌ２上に配置されているので、吐出孔１２から吐出されて集液部２５の前記一部２５ｂに至った内容物が、天壁部１１上を拡散せずに集液頂部２５ａに向けて直進しやすくなり、内容物を円滑に滴下することができるとともに、天壁部１１上に残存する内容物をより一層確実に低減することができる。
【００４３】
なお、本発明は、図面を参照して説明した上述の実施形態に限定されるものではなく、その技術的範囲において様々な変形例が考えられる。
【００４４】
例えば、前記実施形態では、集液頂部２５ａとして、上方に向けて突の曲面状に形成された構成を示したが、吐出孔１２から吐出されて天壁部１１の上面に至った内容物が集められ滴となって落下する構成であれば、これに限らず適宜変更してもよい。また、集液頂部２５ａの、天壁部１１における配設位置は、前記実施形態に限らず適宜変更してもよい。
前記実施形態では、集液部２５の前記一部２５ｂが、天壁部１１における吐出孔１２の開口周縁部に配置され、集液部２５が、前記一部２５ｂから集液頂部２５ａに向かうに従い漸次、上方に向けて直線状に延びた構成を示したが、例えば、集液部２５が、前記一部２５ｂから集液頂部２５ａに向かうに従い漸次、上方に向けて段階的に延びる構成を採用する等適宜変更してもよい。
前記実施形態では、天壁部１１として上面視円形状を呈する構成を示したが、例えば上面視矩形状を呈する構成を採用する等適宜変更してもよい。
前記実施形態では、集液部２５として、天壁部１１において、この天壁部１１の上面視で吐出孔１２の中心を通る第１基準線Ｌ１より一方側に位置する部分の全域にわたって形成された構成を示したが、例えば、表裏面が周方向を向き、かつ天壁部１１における吐出孔１２の開口周縁部から集液頂部２５ａに向かうに従い漸次、上方に向けて延びる板状に形成された構成を採用する等適宜変更してもよい。
【００４５】
前記実施形態では、中栓２０に弁座２４が形成され、弁部３１の周縁部３５が、弁座２４の上面に当接した構成を示したが、中栓２０に弁座２４を形成せず、中栓２０の上端開口縁に、弁部３１の周縁部３５を当接させてもよい。
前記実施形態では、容器本体２として、いわゆるデラミ容器を示したが、これに限定されるものではなく、例えば、内容器４の外表面と外容器６の内表面とが、内容物を吐出する前の当初から離間した二重容器であってもよい。
また、容器本体２は、内容器４と外容器６との間に接着層を設けた形態でもよい。
【００４６】
その他、本発明の趣旨を逸脱しない範囲で、上記した実施の形態における構成要素を周知の構成要素に置き換えることは適宜可能である。
【符号の説明】
【００４７】
１  吐出容器
２  容器本体
３  口部
４  内容器
６  外容器
１０  吐出ノズル
１１  天壁部
１２  吐出孔
２０  中栓
２１  連通孔
２５  集液部
２５ａ  集液頂部
２５ｂ  一部
３０  弁体
３１  弁部
Ｌ１  第１基準線
Ｌ２  第２基準線
【図１】
2019011067.tif 000003
【図２】
2019011067.tif 000004